(57)【要約】      （修正有）【課題】手軽に電池の交換や機能テストを行うことができるデジタル圧力計を提供する。【解決手段】圧力計１は、例えば流体圧を計測するための圧力ゲージであって、その一方が開放されるように第１のハウジング１１と第２のハウジング１２とにより内部空間を画成するように前後組み合わせた筐体状に形成された例えば方形有底筒状の機器本体１０を有し、その内部空間内に圧力検出ユニットと、第１の回路ユニットと、第２の回路ユニット４と、表示モジュール５と、電池装着手段とを配置して、本体カバー７によって覆われてなる。電池６１を交換する際、本体カバー７を機器本体１０から取り外し、開口１２１より電池６１の交換を行うことができる。また、機能のテストを行う際、本体カバー７が取り外され、テストポイント４２、４２、・・・を用いて行う。【選択図】図２
0003177950.tif 000002
【実用新案登録請求の範囲】
【請求項１】
外部管路と空間的に連通されるように連結され、流体圧を計測するためのものであって、
内部空間を画成する中空状の機器本体であって、前記内部空間に電池を着脱可能に装着するための、外部と前記内部空間とを連通する開口が設けられ、インレット管部が前記内部空間に連通するように前記機器本体より突き出て形成され、前記インレット管部内に前記内部空間及び前記外部管路と空間的に連通される流体通路が設けられている機器本体と、
前記インレット管部における流体圧力を検出して圧力信号を生成するよう、前記インレット管部に対応して前記内部空間に設けられている圧力検出ユニットと、
前記圧力検出ユニットから出力された圧力信号が入力されるよう、前記圧力検出ユニットに電気的に接続されるように前記内部空間に設けられている第１の回路ユニットと、
前記第１の回路ユニットと所定の間隔をおいて前記内部空間内に設けられ、且つ前記圧力信号が入力されると表示信号に変換させるように前記第１の回路ユニットと電気的に接続されている第２の回路ユニットであって、前記第２の回路ユニットの作動を外部より操作可能なスイッチと、前記第１の回路ユニット又は前記第２の回路ユニットの作動機能をテストするための、外部より接続可能に設けられた少なくとも１つのテストポイントとを有する第２の回路ユニットと、
外部より見ることができるように前記内部空間内に設けられ、前記表示信号が入力されるように前記第２の回路ユニットに電気的に接続されている表示モジュールと、
前記第１の回路ユニットと前記第２の回路ユニットとの一方に電気的に接続されるように前記開口に臨むと共に前記内部空間内に取り付けられている電池装着手段と、
前記機器本体を覆うように着脱可能に取り付けられ、前記表示モジュールに対応して設けられた表示領域と、前記スイッチに対応して設けられた押圧部材とを設けている本体カバーとを備えていることを特徴とするデジタル圧力計。
【請求項２】
前記機器本体は、その一方が開放されるように互いに対向する第１のハウジングと第２のハウジングとにより前記内部空間を画成するように組み合わせた筐体状に形成され、
前記インレット管部が前記第１のハウジングと一体成形されるように設けられ、
前記開口は前記第２のハウジングに設けられ、
前記本体カバーは前記第１のハウジングと着脱可能に結合して固定されると共に前記第２のハウジングを覆うように設けられていることを特徴とする請求項１に記載のデジタル圧力計。
【請求項３】
前記第１のハウジングは、前記内部空間に向かうベース壁と、前記ベース壁の外周縁より前記第２のハウジングに向かって延伸されて形成されたフランジ壁とを有し、
前記インレット管部が外部と前記内部空間とを空間的に連通するように前記ベース壁に貫通して設けられ、
前記ベース壁と前記フランジ壁と前記インレット管部とは一体成形され、
前記フランジ壁は、前記第２のハウジングと気密に結合される第１の係止部と、前記本体カバーと着脱可能に結合される第２の係止部とが設けられ、
第２のハウジングは、前記第１の係止部に応じて互いに結合可能な第３の係止部が設けられ、
前記本体カバーは、前記第２の係止部に応じて互いに結合可能な第４の係止部が設けられていることを特徴とする請求項２に記載のデジタル圧力計。
【請求項４】
前記第１の回路ユニットは、前記第１の回路ユニット及び前記第２の回路ユニットと電気的に接続されている少なくとも１つの導電ピンを有し、
前記電池装着手段は、前記第２の回路ユニットと電気的に接続されるように前記第２の回路ユニットに配置されていることを特徴とする請求項１に記載のデジタル圧力計。
【請求項５】
前記表示モジュールは、前記内部空間内に空間的に連通する中空状窓フレームと、  前記窓フレームと共に配置空間を画成する表示窓付きのベースケースと、前記配置空間内に配置されている液晶パネルと、前記液晶パネル及び前記第２の回路ユニットと電気的に接続されるように前記窓フレームに配置されているコネクト部材と、を有することを特徴とする請求項１に記載のデジタル圧力計。
【請求項６】
前記圧力検出ユニットは、前記第１の回路ユニットと電気的に接続されるように前記第１の回路ユニットの前記インレット管部側に固定されており、前記外部管路より流体が入るように前記流体通路に貫通して設けられた流体収集管と、前記流体通路より前記流体収集管へ流れてきた流体の圧力を検出して前記圧力信号を生成する検出部とを有することを特徴とする請求項１に記載のデジタル圧力計。
【考案の詳細な説明】
【技術分野】
【０００１】
本考案は、例えば流体圧を計測した計測値を数字で表示するデジタル圧力計に関する。
【背景技術】
【０００２】
従来より、電池によって電源が提供される移動形デジタル圧力計は、例えば特許文献１に開示された圧力計がある。電池による電源でどこでも手軽に流体圧力を計測することができる。
【先行技術文献】
【特許文献】
【０００３】
【特許文献１】台湾登録実用新案第Ｍ４０５５６８号公報
【考案の概要】
【考案が解決しようとする課題】
【０００４】
しかしながら、従来の移動形デジタル圧力計は、電池などの消耗品を交換したり、機能のテストを行う時、機器本体を分解しなければならないので、手間が掛かり、使い勝手が悪い問題点がある。
【０００５】
本考案は、上記問題点に鑑みてなされたものであり、手軽に電池の交換や機能テストを行うことができるデジタル圧力計を提供することを目的とする。
【課題を解決するための手段】
【０００６】
本考案は上記目的を達成するために、本考案に係るデジタル圧力計は、外部管路と空間的に連通されるように連結され、流体圧を計測するためのものであって、内部空間を画成する中空状の機器本体であって、前記内部空間に電池を着脱可能に装着するための、前記内部空間と外部とを連通する開口が設けられ、インレット管部が前記内部空間に連通するように前記機器本体より突き出て形成され、前記インレット管部内に前記内部空間及び前記外部管路と空間的に連通される流体通路が設けられている機器本体と、前記インレット管部における流体圧力を検出して圧力信号を生成するよう、前記インレット管部に対応して前記内部空間に設けられている圧力検出ユニットと、前記圧力検出ユニットから出力された圧力信号が入力されるよう、前記圧力検出ユニットに電気的に接続されるように前記内部空間に設けられている第１の回路ユニットと、前記第１の回路ユニットと所定の間隔をおいて前記内部空間内に設けられ、且つ前記圧力信号が入力されると表示信号に変換させるように前記第１の回路ユニットと電気的に接続されている第２の回路ユニットであって、前記第２の回路ユニットの作動を外部より操作可能なスイッチと、前記第１の回路ユニット又は前記第２の回路ユニットの作動機能をテストするための少なくとも１つのテストポイントとを有する第２の回路ユニットと、外部より見ることができるように前記内部空間内に設けられ、前記表示信号が入力されるように前記第２の回路ユニットに電気的に接続されている表示モジュールと、前記第１の回路ユニットと前記第２の回路ユニットとの一方に電気的に接続されるように前記開口に臨むと共に前記内部空間内に取り付けられている電池装着手段と、前記機器本体を覆うように着脱可能に取り付けられ、前記表示モジュールに対応して設けられた表示領域と、前記スイッチに対応して設けられた押圧部材とを設けている本体カバーとを備えていることを特徴とする。
【考案の効果】
【０００７】
本考案に係るデジタル圧力計は、本体カバーが機器本体を覆うように着脱可能に設けられているので、機器本体から本体カバーを取り外せば、手間をかけることなく電池の交換や機能のテストをすることができる。従って、使い勝手が良い。
【図面の簡単な説明】
【０００８】
【図１】本考案に係るデジタル圧力計の一例を示す組合せ斜視図である。
【図２】図１のデジタル圧力計において本体カバーの取り外し状態、電池の交換状態を示す斜視図である。
【図３】図１のデジタル圧力計の分解斜視図である。
【図４】図２におけるＩＶ―ＩＶ縦断面図である。
【図５】圧力検出ユニットが装着された第１の回路ユニットを示す斜視図である。
【図６】図１のデジタル圧力計の本体カバーを取り外した前面図である。
【図７】電池装着手段を装着した第２の回路ユニットを示す斜視図である。
【図８】図７において電池の交換を行う状態を示す図である。
【考案を実施するための形態】
【０００９】
以下では、本考案に係るデジタル圧力計の一例について、図面を参照しつつ説明を行う。
【００１０】
（実施例）
図１は本実施例に係るデジタル圧力計１の組立斜視図、図２は図１のデジタル圧力計１において本体カバー７の取り外し状態、電池６１の交換状態を示す斜視図、図３は同圧力計１の分解斜視図であり、図４は図２におけるＩＶ―ＩＶ縦断面図である。
【００１１】
本実施例における圧力計１は、例えば流体圧を計測するための圧力ゲージであって、その一方が開放されるように第１のハウジング１１と第２のハウジング１２とにより内部空間１５を画成するように前後組み合わせた筐体状に形成された例えば方形有底筒状の機器本体１０を有し、その内部空間１５内に圧力検出ユニット２と、第１の回路ユニット３と、第２の回路ユニット４と、表示モジュール５と、電池装着手段６とを配置して、本体カバー７によって覆われてなる。
【００１２】
第１のハウジング１１は、硬質材料例えば金属でつくられ、内部空間１５に向かうベース壁１１１と、ベース壁１１１の外周縁より第２のハウジング１２に向かって延伸されて形成されたフランジ壁１１２とを有する。
【００１３】
ベース壁１１１は、内部空間１５側の第１の表面部１１１ａと、第１の表面部１１１ａと背中合わせの第２の表面部１１１ｂとを有し、ベース壁１１１にインレット管部１１３が第１の表面部１１１ａから第２の表面部１１１ｂに向かって貫通するよう第２の表面部１１１ｂより突き出て形成されている。なお、ベース壁１１１とフランジ壁１１２とインレット管部１１３とは一体成形されている。
【００１４】
フランジ壁１１２は、第２のハウジング１２側の端面部１１２ａと内部空間１５を囲む周面部１１２ｂとを有し、端面部１１１ａにおけるインレット管部１１３の両側に第１の係止部１１４、１１４が互いに対応して設けられ、周面部１１２ｂにおけるインレット管部１１３の両側に第２の係止部１１５、１１５が互いに対応して設けられている。
【００１５】
インレット管部１１３は、その突き出た外周面に外部管路９と結合されるためのねじ山が形成され、インレット管部１１３の内部に内部空間１５及び外部管路９と空間的に連通される流体通路１１６が設けられている。
【００１６】
第２のハウジング１２は、内部空間１５を取り囲むフレーム体を有し、フレーム体における例えば上側壁に電池を取り付けたり取り出したりするための、内部空間１５と外部とを連通する開口１２１が設けられ、両側壁に第１の係止部１１４に対応して気密結合される第３の係止部１２２、１２２が設けられている。一例として第１の係止部１１４は突起、第３の係止部１２２は突起が係合できる係止溝である。
【００１７】
第１のハウジング１１と第２のハウジング１２とが一体に係合装着されるよう、第１のハウジング１１と第２のハウジング１２との間にリング状のパッキング部材１３が挟持され、水気が浸入しないように機器本体１０の内部が密閉封止されている。
【００１８】
図３、４に示すように、圧力検出ユニット２及び第１の回路ユニット３が機器本体１０内に配置されており、第１の回路ユニット３は第１のハウジング１１に固定されている。
【００１９】
圧力検出ユニット２は、図５に示すように、第１の回路ユニット３と電気的に接続されるように第１の回路ユニット３のインレット管部１１３側の内表面部３ａに固定されており、外部管路９より流体が入るように流体通路１１６内に貫通する流体収集管２１と、流体通路１１６より流体収集管２１へ流れてきた流体の圧力を検出して圧力信号を生成する検出部２２とを有する。なお、流体通路１１６と流体収集管２１との間に、気密性が保たれるようリング状パッキング部材１４が挟持されて設けられている。
【００２０】
第１の回路ユニット３は、圧力検出ユニット２と電気的に接続され、圧力検出ユニット２からの圧力信号を受信する。この例では、第１の回路ユニット３は、圧力検出ユニット２が設けられた内部空間１５側の内表面部３ａと背中合わせの外表面部３ｂより外側に向かって突き出て設けられた４本の導電ピン３１を有する。
【００２１】
第２の回路ユニット４は、導電ピン３１を介して第１の回路ユニット３と電気的に接続されるように第１の回路ユニット３の外表面部３ｂと所定の間隔をおいて第２のハウジング１２に配置されている。第２の回路ユニット４は、その内部空間１５と逆側の外表面部４ｂに取り付けられたスイッチ４１と、下側に設けられた６つのテストポイント４２、４２、・・・と、上側に設けられ後述の表示モジュール５と電気的に接続される１３個の金属接続ターミナル４３、４３、・・・とを有し、導電ピン３１を介して入力された圧力信号をデジタルに表示可能な表示信号に変換させ、表示モジュール５へ送出する。
【００２２】
表示モジュール５は、図２、３、６に示すように、第２のハウジング１２の内部空間１５の外側に取り付けられており、表示窓５２ａが設けられたベースケース５２と、表示窓５２ａを取り囲むようにベースケース５２の内部空間１５側に装着された窓フレーム５１と、ベースケース５２に装着され、接続ターミナルが設けられた液晶パネル５４と、窓フレーム５１の上側に設けられたトップホール５１１に装着され、接続ターミナル４３と液晶パネル５４とを電気的に接続されるコネクト部材５３とを有する。
【００２３】
この例では、ベースケース５２において、液晶パネル５２の表示情報が表示されるよう少なくとも表示窓５２をプラスチック、アクリレート等の透明材料でつくられる。また、コネクト部材５３は、一例として導電ゴムを用い、その両端がそれぞれ接続ターミナル４３と液晶パネル５４と電気的に連結され、第２の回路ユニット４から表示信号を液晶パネル５４へ送出するように電気信号を送る。ここでは、導電ゴムを用いたが、これに制限されないことは注意されたい。
【００２４】
電池装着手段６は、図４、７、８に示すように、開口１２１に臨んで第２の回路ユニット４に電気的に接続されるように第１の回路ユニット３と第２の回路ユニット４との間に装着されており、電池６１が開口１２１を介して装着される。このようにして、電池６１よりの電源が第１の回路ユニット３及び第２の回路ユニット４に供給される。
【００２５】
本体カバー７は、図１〜３に示すように、機器本体１０を覆うように着脱可能に取り付けられ、液晶パネル５４に対応して設けられた表示領域７１と、スイッチ４１に対応して設けられた押圧部材７２と、透明なエンドキャップ７３と、があり、更に第２の係止部１１５に対応して互いに結合して固定できるように係合可能に設けられた第４の係止部７４が設けられている。
【００２６】
なお、表示領域７１は、可視光が透過可能な透明な覗き窓であり、透明なエンドキャップ７３によって覆われている。エンドキャップ７３は押圧部材７２に対応して押圧部７３１が設けられ、押圧部７３１を押すと、押圧部材７２が連動して押されてスイッチ４１が加圧される。
【００２７】
第２の係止部１１５は一例として突起であり、第４の係止部７４は突起が嵌入される係止溝である場合、本体カバー７は第２のハウジング１２を覆いながら第２の係止部１１５が第４の係止部７４に嵌入して固定される。
【００２８】
次に上記のような構成を有する圧力計１の動作及び作用を説明する。
【００２９】
電池６１が装着されて電源が供給されている状態で、まず、押圧部７３１を押すと、圧力計１が作動する。圧力検出ユニット２によってガス圧を検出して圧力信号を生成する。圧力検出ユニット２によって生成された圧力信号は第１の回路ユニット３及び導電ピン３１を介して第２の回路ユニット４に出力される。第２の回路ユニット４は圧力検出ユニット２によって生成された圧力信号が入力されると、該圧力信号をアナログ／デジタル変換してデジタル化された表示信号が得られる。第２の回路ユニット４によって得られた表示信号はコネクト部材５３を介して液晶パネル５４に出力される。液晶パネル５４は、ｐｓｉ、ｂａｒ、Ｋｇｆ或いはＭｐａのいずれかの圧力単位を基にして入力された表示信号を表す。なお、ｐｓｉ、ｂａｒ、Ｋｇｆ或いはＭｐａのいずれかの圧力単位は互いに他の圧力単位に切り替えることができる。なお、液晶パネル５４に電池６１のバッテリー残量を表示させることによって、電池６１の交換時期を知ることができる。
【００３０】
電池６１を交換する際、本体カバー７を機器本体１０から取り外し、開口１２１より電池６１の交換を行うことができる。また、機能のテストを行う際、本体カバー７が取り外され、テストポイント４２、４２、・・・を用いて行われるが、具体的に言うと、図６に示されている番号Ｔ１のテストポイント４２に所定の電圧が入力され、番号Ｔ５のテストポイント４２に所定の電圧が出力され、番号Ｔ２、Ｔ３、Ｔ４、Ｔ６のテストポイント４２においては、番号Ｔ１のテストポイント４２に所定の電圧が入力された後、異なるテスト機能を行うことができる。
【００３１】
以上により、本体カバー７を機器本体１０から取り外すことによって、手間をかけることなく電池６１の交換や機能のテストをすることができ、使い勝手が良い。
【産業上の利用可能性】
【００３２】
本考案に係るデジタル圧力計は、モバイル圧力計測機器に有用である。
【符号の説明】
【００３３】
１  デジタル圧力計
１０  機器本体
１１  第１のハウジング
１１１  ベース壁
１１１ａ  第１の表面部
１１１ｂ  第２の表面部
１１２  フランジ壁
１１２ａ  端面部
１１２ｂ  周面部
１１３  インレット管部
１１３ａ  ねじ山
１１４  第１の係止部（突起）
１１５  第２の係止部（突起）
１１６  流体通路
１２  第２のハウジング
１２１  開口
１２２  第３の係止部（溝）
１３  パッキング部材
１４  パッキング部材
１５  内部空間
２  圧力検出ユニット
２１  流体収集管
２２  検出部
３  第１の回路ユニット
３１  導電ピン
３ａ  内表面部
３ｂ  外表面部
４  第２の回路ユニット
４１  スイッチ
４２  テストポイント
４３  接続ターミナル
４ｂ  外表面部
５  表示モジュール
５１  窓フレーム
５１１  トップホール
５２  ベースケース
５２ａ  表示窓
５３  コネクト部材
５４  液晶パネル
６  電池装着手段
６１  電池
７  本体カバー
７１  表示領域
７２  押圧部材
７３  エンドキャップ
７３１  押圧部
７４  第４の係止部（溝）
９  外部管路
【図１】
0003177950.tif 000003
【図２】
0003177950.tif 000004
【図３】
0003177950.tif 000005
【図４】
0003177950.tif 000006
【図５】
0003177950.tif 000007
【図６】
0003177950.tif 000008
【図７】
0003177950.tif 000009
【図８】
0003177950.tif 000010